(57)【要約】【課題】表示装置の大きさを抑える表示装置を提供する。【解決手段】表示装置は、複数の杆体の端部が連結されて構成されており、一の杆体１ａの前面にリブ２が設けられている枠体を備える表示装置において、前記一の杆体１ａには、前方に向けて突出した基部３１と前記枠体の内側方向に向いた先端部３２とを有しており、光学シートの移動を規制する規制部３が前記リブ２より前記枠体の外側に設けられていることを特徴とする。【選択図】図６
2015090815.tif 000002
【特許請求の範囲】
【請求項１】
複数の杆体の端部が連結されて構成されており、一の杆体の前面にリブが設けられている枠体と、前記リブが貫通している孔が設けられた光学シートとを備える表示装置において、
前記一の杆体には、前方に向けて突出した基部と前記枠体の内側方向に向いた先端部とを有する規制部が前記リブよりも前記枠体の外側に設けられている
ことを特徴とする表示装置。
【請求項２】
前記規制部は前記光学シートの移動を規制する
ことを特徴とする請求項１に記載の表示装置。
【請求項３】
前記先端部における前記一の杆体の長手方向寸法が、前記基部における前記長手方向寸法よりも長い
ことを特徴とする請求項１又は２に記載の表示装置。
【請求項４】
前記杆体における前記基部の両側には、溝が前方から後方に向けて設けられている
ことを特徴とする請求項１から３までのいずれか一つに記載の表示装置。
【請求項５】
前記規制部は前記リブより前方に突出している
ことを特徴とする
請求項１から４までのいずれか一つに記載の表示装置。
【請求項６】
複数の杆体の端部が連結されて構成されており、一の杆体の前面にリブが設けられている枠体と、前記リブが貫通している孔が設けられた光学シートとを備える表示装置において、
前記リブは先端が屈曲した形状をなし、前記光学シートの前後方向の移動を規制する
ことを特徴とする表示装置。
【発明の詳細な説明】
【技術分野】
【０００１】
本発明は、液晶パネルを表示部として用いる表示装置に関する。
【背景技術】
【０００２】
液晶パネルを表示部として用いる表示装置において、液晶パネルの表示面の裏面である背面側には、バックライトが設けられている。また、液晶パネルとバックライトとの間には、バックライトが発した光を偏光する光学シートが設けられている。
【０００３】
光学シートは周縁付近が枠体に固定されているところ、振動実験又は表示装置の移動中に表示装置が振動した場合、光学シートも振動することにより、光学シートから静電気等が発生するという問題、及び光学シートが磨耗することにより画像品質が低下するといった問題が生じる。
【０００４】
こうした問題を解決するため、光学シートをフレームに固定する技術が考えられている。特許文献１に記載の技術では、留め具とフレームとが光学シートを挟むことで、光学シートの位置を固定している。留め具とフレームとにより光学シートの周縁の一部のみを固定することによって、光学シートの位置を固定して上述の問題を解決し、さらに、光学シートが熱により膨張又は収縮した場合においても、皺が寄るなどの問題を防止することができる。
【先行技術文献】
【特許文献】
【０００５】
【特許文献１】特開２００３−２１７３２８号公報
【発明の概要】
【発明が解決しようとする課題】
【０００６】
近年液晶パネルの大型化が進んでいるが、表示装置を設置する場所には限りがあるため、表示装置全体の薄型化及び狭額縁化が望まれている。しかし、特許文献１に記載の発明は、光学シートの前面側にフレームとは別の部材が設けられるため、表示装置の厚みが増大してしまうという問題があった。
【０００７】
本発明は斯かる事情に鑑みてなされたものであり、表示装置の薄型化及び狭額縁化を実現する表示装置を提供することを目的とする。
【課題を解決するための手段】
【０００８】
本発明に係る表示装置は、複数の杆体の端部が連結されて構成されており、一の杆体の前面にリブが設けられている枠体と、前記リブが貫通している孔が設けられた光学シートとを備える表示装置において、前記一の杆体には、前方に向けて突出した基部と前記枠体の内側方向に向いた先端部とを有する規制部が前記リブよりも前記枠体の外側に設けられていることを特徴とする。
【０００９】
本発明に係る表示装置は、前記規制部は前記光学シートの移動を規制することを特徴とする。
【００１０】
本発明に係る表示装置は、前記先端部における前記一の杆体の長手方向寸法が、前記基部における前記長手方向寸法よりも長いことを特徴とする。
【００１１】
本発明に係る表示装置は、前記杆体における前記基部の両側には、溝が前方から後方に向けて設けられていることを特徴とする。
【００１２】
本発明に係る表示装置は、前記規制部は前記リブより前方に突出していることを特徴とする。
【００１３】
本発明に係る表示装置は、複数の杆体の端部が連結されて構成されており、一の杆体の前面にリブが設けられている枠体と、前記リブが貫通している孔が設けられた光学シートとを備える表示装置において、前記リブは先端が屈曲した形状をなし、前記光学シートの前後方向の移動を規制することを特徴とする。
【００１４】
本発明に係るテレビジョン受信機は、上述の表示装置と、テレビジョン放送波を受信するチューナとを備え、前記表示部は、前記チューナが受信したテレビジョン放送波に基づく映像を表示することを特徴とする。
【発明の効果】
【００１５】
本発明によれば、リブは孔を貫通しており、かつ一の杆体に規制部が設けられている。これにより、表示装置の厚みを抑えることができるので、表示装置の薄型化及び狭額縁化を実現することができる。
【図面の簡単な説明】
【００１６】
【図１】表示装置を示す正面図である。
【図２】表示装置を示す分解斜視図である。
【図３】枠体を示す正面図である。
【図４】杆体を示す部分斜視図である。
【図５】杆体を示す部分正面図である。
【図６】杆体を示す部分斜視図である。
【図７】光学シートを示す正面図である。
【図８】耳部を示す部分正面図である。
【図９】枠体及び光学シートを示す正面図である。
【図１０】枠体及び耳部を示す部分斜視図である。
【図１１】枠体、光学シート及び表示部を示す断面図である。
【図１２】杆体を示す断面図である。
【図１３】枠体を示す部分斜視図である。
【図１４】枠体及び光学シートを示す部分斜視図である。
【図１５】枠体、光学シート及び表示部を示す断面図である。
【発明を実施するための形態】
【００１７】
第１の実施の形態
本実施の形態における表示装置９０について説明する。図１は表示装置９０を示す正面図である。表示装置９０は、フレーム６１、表示部３０、チューナ基板８１及び制御基板８２を備える。
【００１８】
表示部３０は表示画面を前面に有する横長の矩形板状をなした液晶パネルであり、表示画面に映像が表示される。  
【００１９】
表示装置９０の背面側にはチューナ基板８１と、制御基板８２とが設けられている。チューナ基板８１は、チューナを備える。表示装置９０は、チューナ基板８１のチューナより受信したテレビジョン放送に基づいて、表示部３０に映像を表示するテレビジョン受信機として機能する。制御基板８２はＣＰＵ（Central Processing Unit）を備え、表示部３０を電気的に制御する。
【００２０】
図２は、表示装置９０を示す分解斜視図である。表示装置９０は、さらにフレーム６１、表示部３０、光学シート５、枠体１、導光板６２、反射シート６３、発光部６４、放熱体６５及びバックライトシャーシ６６を備える。
【００２１】
フレーム６１はアルミニウム製であり、断面がＬ字状をなした４本の杆体の端部が夫々連結することにより、横長の矩形状の枠体をなす。表示部３０は、前面側の周縁がフレーム６１と周に沿って接触している。
【００２２】
光学シート５は、表示部３０の背面側に設けられている。光学シート５は、合成樹脂製であって横長の略矩形板状をなしており、複数枚が前後方向に積層されている。各光学シート５は夫々、プリズムシート、拡散シート又は反射偏光シート等である。
【００２３】
枠体１は、樹脂製であり、横長の矩形状をなしている。枠体１は、上方を構成する杆体１ａ、側方を構成する杆体１ｂ、１ｂ及び下方を構成する杆体１ｃの端部が連結することにより構成されている。枠体１は、光学シート５の位置を光学シート５の背面側から保持している。枠体１及び光学シート５の保持構造についてはさらに後述する。
【００２４】
導光板６２は、表示部３０と略同形状の横長略矩形状をなしており、枠体１の背面側に設けられている。導光板６２は、発光部６４から内部に入射された光を出射する。
【００２５】
反射シート６３は、導光板６２とバックライトシャーシ６６との間に配設される横長矩形状のシートである。反射シート６３は、導光板６２の背面と略同一の形状をなす。反射シート６３は、導光板６２の背面に配置されており、導光板６２から出射される光のうち、背面側に出射された光を前面側に反射する。
【００２６】
発光部６４、６４は、複数のＬＥＤ光源が長手方向に直線状に配列され、全体として杆体をなしている。発光部６４、６４は、上端及び下端に夫々、導光板６２の長手方向と平行であって、発光部６４、６４の光源同士が対向するように配置されている。斯かる配置により、発光部６４、６４は夫々光を出射し、出射された光は、導光板６２の上側面及び下側面から内部に向かう。
【００２７】
放熱体６５、６５は、杆体をなし、導光板６２の上端及び下端に、導光板６２の長手方向と平行になるように夫々配置されている。放熱体６５、６５は、発光部６４、６４を支持しており、発光部６４、６４に溜まった熱を放熱する。
【００２８】
バックライトシャーシ６６は、金属製の箱状であり、底面が横長の矩形板状をなす。バックライトシャーシ６６は、表示装置９０の背面を構成している。表示部３０は、背面側の周縁が枠体１と接触しており、前面が表示面となるように位置が固定される。光学シート５は、導光板６２を介して発光部６４、６４から発せられる光を均一に拡散する。
【００２９】
さらに、枠体１が光学シート５を保持する保持構造について説明する。図３は、枠体１を示す正面図である。図４は、杆体１ａを示す部分斜視図である。杆体１ａは、内側部１０と、周縁部１１とを有する。内側部１０は、前後方向に面しており、左右方向を長手方向とする帯状の板体によって構成されている。内側部１０の前面には、内側部１０の長手方向に沿った矩形状であり、前面側に突出したリブ２、２、２１が設けられている。
【００３０】
リブ２、２、２１は夫々杆体１ａの長手方向に平行な直線状の細長い形状をなしている。リブ２、２は、内側部１０の中央より上側であって、杆体１ａの長手方向に両端寄りの箇所に夫々設けられている。リブ２１は、内側部１０の中央より上側であって、杆体１ａの長手方向中央に設けられている。
【００３１】
また、枠体１の下方を構成する杆体１ｃにも、長手方向に平行な帯状をなして前面側に突出したリブ２２が、杆体１ｂの長手方向中央に設けられている。図５は、杆体１ａ及び１ｃを示す部分正面図である。図５Ａは杆体１ａに設けられたリブ２を、図５Ｂは杆体１ａに設けられたリブ２１を、図５Ｃは杆体１ｃに設けられたリブ２２を夫々示している。図５に示すように、リブ２１は、リブ２よりも、枠体１の長手方向に長い。リブ２２は、リブ２１と同じ大きさである。図５Ａ及び図５Ｂに示すように、リブ２及びリブ２１の上方に、規制部３、３が夫々設けられている。規制部３については後述する。
【００３２】
内側部１０の前面には、杆体１ａの長手方向に長い形状をなして前面側に突出しているパネル接触部１４が設けられている。杆体１ａにおいて、パネル接触部１４は内側部１０の上側の端から、内側部１０の中央よりも下側まで設けられている。また、パネル接触部１４の外面には、ゴム製又はスポンジ製等の緩衝部１５が設けられている。緩衝部１５は表示部３０と直接接触するところ、ゴム製又はスポンジ製等であることから衝撃を緩衝するので、表示部３０が擦れて傷が生じるといった事態を防止することができる。杆体１ｂ、１ｂ、１ｃも、内側部１０の外側にパネル接触部１４及び緩衝部１５が夫々設けられている。
【００３３】
パネル接触部１４は表示部３０の背面側の周縁と接触する。フレーム６１とパネル接触部１４とが表示部３０を前後方向に挟むことによって、前後方向の位置を固定する。このパネル接触部１４は、リブ２よりも前方に突出している。
【００３４】
図６は、杆体１ａを示す部分斜視図である。内側部１０と周縁部１１との接続箇所付近であって、リブ２の外側には、周囲が内側部１０の長手方向に長い矩形状をなした矩形孔１３が設けられている。
【００３５】
周縁部１１は、帯状の板体によって構成されている。周縁部１１は、その下面における幅方向の中央付近において、内側部１０の外周縁と、周に沿って接合している。内側部１０と周縁部１１との縦断面はＴ字状をなしている。
【００３６】
図６に基づいて規制部３について説明する。規制部３は基部３１及び先端部３２を備える。まず、周縁部１１におけるリブ２の上方には、前端から後方に向かって凹んだ矩形状の凹部１２が設けられている。さらに周縁部１１には、斯かる凹部１２の周縁であって、周縁部１１の前端にあたる位置から後方に向かって、溝部３３、３３が設けられている。溝部３３、３３は、規制部３一つ当たり２カ所、間隔を置いて設けられており、後端付近を除き、溝部３３、３３の幅は一定である。
【００３７】
基部３１は、２か所の溝部３３、３３によって挟まれた部分が前方に突出されて形成されており、上面視長方形状の板体をなしている。基部３１は、周縁部１１と繋がっている箇所から前方に向かって突出している。なお、基部３１は、前後方向における後側部分は周縁部１１と同じ厚さであるが、中央部分は周縁部１１よりも厚さが薄くなっている。
【００３８】
先端部３２は矩形の棒体をなしている。先端部３２は、その長手方向が内側部１０と平行になるように、上端中央が基部３１の前端付近の下方と繋がっている。先端部３２の長手方向の寸法は、同一方向である基部３１の幅方向の寸法より長い。また、先端部３２は、外力を加えない状態では内側部１０との間隔が一定になるよう、基部３１に接合されている。先端部３２は、リブ２よりも前方に突出している。
【００３９】
先端部３２の上側には凹部１２が設けられている。また、先端部３２の後方には矩形孔１３が設けられている。そのために、先端部３２は、基部３１とのみ接触しており、内側部１０及び周縁部１１とは直接には接触していない。従って、外力を加えることにより基部３１が曲がった場合には、先端部３２も基部３１に連動して動く構造になっている。
【００４０】
光学シート５について説明する。図７は、光学シート５を示す正面図である。光学シート５は、枠体１より小さい矩形部５０の周縁に、略長方形をなし、一方の長辺に外側に突出した耳部５１、５１、５２が設けられており、他方の長辺に耳部５３が設けられている。なお、耳部５１、５１、５２、５３のうち一又は複数は、光学シート５の方向を判別するため、一部が切り欠いたような形状であってもよい。
【００４１】
耳部５１、５１、５２、５３は、リブ２、２、２１、２２の数と対応しており、本実施の形態では、耳部５１、５１は光学シート５上縁における両端寄りに２カ所、耳部５２は上縁中央に１カ所、耳部５３は下縁に１カ所夫々設けられている。耳部５１、５１、５２の間隔は規制部３、３、３の間隔と等しい。
【００４２】
耳部５１、５１、５２、５３の中央には、夫々孔５１１、５１１、５２１、５３１が設けられている。孔５１１、５１１、５２１、５３１は長手方向に長い形状をなしており、夫々リブ２、２、２１、２２が貫通することができる大きさである。孔５１１、５１１、５２１は、光学シート５の長手方向に平行な同一直線上に設けられている。
【００４３】
図８は、耳部５１、５２、５３を示す部分正面図である。図８Ａは耳部５１を、図８Ｂは耳部５２を、図８Ｃは耳部５３を夫々示している。２か所の耳部５１、５１の夫々設けられた孔５１１、５１１の大きさは同じであるが、中央の孔５２１は孔５１１よりも長手方向に短い。孔５３１は、上縁に設けられた３カ所の孔５１１、５１１、５２１よりも光学シート５の上下方向に幅が広い。
【００４４】
図９は、枠体１及び光学シート５を示す正面図である。孔５１１、５１１、５２１をリブ２、２、２１が貫通することにより、光学シート５の上下方向における位置が決められる。ここで、上側中央のリブ２１はリブ２より左右方向に長く、孔５２１は孔５１１より左右方向に短いことから、リブ２１と孔５２１とにより、左右方向にも位置が固定される。これに対し、リブ２、２の長さは、上側における両端寄りの孔５１１、５１１よりも左右方向に相当短いため、リブ２、２と孔５２１、５２１の周縁とには、左右方向に隙間が生じる。
【００４５】
光学シート５は、熱により膨張及び収縮する。即ち、光学シート５の温度が上昇した場合には、上下方向及び左右方向の長さが長くなり、光学シート５の温度が下降した場合には、上下方向及び左右方向の長さが短くなる。しかし、両端寄りのリブ２、２と孔５１１、５１１とは左右方向に隙間が設けられていることにより、光学シート５が左右方向に膨張及び収縮した場合であっても、光学シート５に皺が寄るといった事態を防ぐことができる。なお、孔５１１と孔５２１との左右方向の長さ、及びリブ２とリブ２１との左右方向の長さのいずれか一方は、同じ長さであってもよい。
【００４６】
また、光学シート５における下側の孔５３１は、上下方向の幅が他の孔５１１、５２１よりも広いため、リブ２２と孔５３１との上下方向の隙間は、上側のリブ２と孔５１１との隙間よりも広くなっている。従って、光学シート５が上下方向に膨張及び収縮した場合であっても、光学シート５に皺が寄るといった事態を防ぐことができる。なお、リブ２２の上下方向の幅は、リブ２及びリブ２１より狭くてもよい。
【００４７】
図１０は、枠体１及び耳部５１を示す部分斜視図である。光学シート５は、枠体１の内側部１０の前面側に接触するよう設けられており、かつ耳部５１の周縁は、規制部３によって前後方向の移動が規制される。これにより、光学シート５は前後方向の位置が決められる。ここで、リブ４が光学シート５の移動を規制する場合は、リブ４が孔５１１の周縁を係止する場合も含む。
【００４８】
図１１は、枠体１、光学シート５及び表示部３０を示す断面図である。図１１に示すように、表示部３０は、光学シート５の前方に設けられている。また、表示部３０は、パネル接触部１４と接触しているため、リブ２の前方に間隔を置いて設けられている。
【００４９】
先端部３２の後方と内側部１０との間隙に、光学シート５の周縁が配置されることにより、光学シート５の前後方向への移動が規制される。
【００５０】
規制部３は周縁部１１に設けられており、表示部３０は周縁部１１及び規制部３の内側に設けられている。従って、規制部３によって表示装置９０の厚みが増すことを抑制することができる。
【００５１】
ここで、表示装置９０の薄型化及び狭額縁化を実現するために、枠体１も可能な限り小さいことが望ましい。そのために内側部１０の幅が狭く、リブ２、２、２１と規制部３、３、３との間隔も非常に狭い。従って、規制部３が光学シート５の前後方向の移動を規制する場合には、規制部３に対して枠体１の外側方向に力を加え、一旦規制部３をしならせて光学シート５を挿入する十分な間隔を設けてから、光学シート５を規制部３と内側部１０との間隔に挿入する。
【００５２】
本実施の形態において、基部３１は、両側に溝部３３、３３が設けられており、また、周縁部１１よりも途中の厚みが薄いことによって、基部３１は厚さ方向に力を加えた場合に、枠体１の他の箇所よりもしなりやすくなっている。そのため、光学シート５を規制部３と内側部１０との間隔に挿入するにあたり、小さい外力で挿入することができる。
【００５３】
なお、本実施の形態において、リブ２、２１の個数は問わない。また、耳部５１、５２、５３が設けられる数には制限が無く、リブ２、２１、２２の数より少なくてもよい。また耳部５１は、光学シート５の側縁に設けられていてもよい。
【００５４】
本実施の形態に係る表示装置９０は、複数の杆体１ａ、１ｂ、１ｂ、１ｃの端部が連結されて構成されており、一の杆体１ａの前面にリブが設けられている枠体１を備える表示装置９０において、前記一の杆体１ａには、前方に向けて突出した基部３１と前記枠体の内側方向に向いた先端部３２とを有する規制部３が前記リブ２より前記枠体１の外側に設けられていることを特徴とする。
【００５５】
本実施の形態によれば、リブ２は孔５１１を貫通しており、かつ一の杆体１ａに規制部３が設けられている。これにより、表示装置９０の厚みを抑えることができるので、表示装置９０の薄型化及び狭額縁化を実現することができる。
【００５６】
本実施の形態に係る表示装置９０は、前記規制部３は前記光学シート５の移動を規制することを特徴とする。
【００５７】
本実施の形態によれば、前記規制部３は、特に前記光学シート５の前後方向の移動を規制することができる。
【００５８】
本発明に係る表示装置９０は、前記先端部３２における前記一の杆体１ａの長手方向寸法が、前記基部３１における前記長手方向寸法よりも長いことを特徴とする。
【００５９】
本実施の形態によれば、先端部３２における前記一の杆体１ａの長手方向寸法が、前記基部３１における前記長手方向寸法よりも長いことにより、規制部３は、広い範囲で光学シート５の移動を規制することができる。
【００６０】
本発明に係る表示装置９０は、前記杆体１ａにおける前記基部３１の両側には、溝部３３、３３が前方から後方に向けて設けられていることを特徴とする。
【００６１】
本実施の形態によれば、溝部３３、３３が設けられていることにより、規制部３がしなりやすくなるので、光学シート５の移動を規制することが容易になる。
【００６２】
本発明に係る表示装置は、前記規制部３は前記リブ２より前方に突出していることを特徴とする。
【００６３】
本実施の形態によれば、規制部３は前記リブ２より前方に突出していることにより、表示部３０等がリブ２の前方に配置された場合であっても表示装置９０の厚みを抑えることができる。
【００６４】
本実施の形態に係るテレビジョン受信機は、上述の表示装置９０と、テレビジョン放送波を受信するチューナとを備え、前記表示部３０は、前記チューナが受信したテレビジョン放送波に基づく映像を表示することを特徴とする。
【００６５】
本実施の形態によれば、テレビジョン受信機において、上述した表示装置９０の効果を実現することができる。
【００６６】
第２の実施の形態
第２の実施の形態について説明する。本実施の形態は、規制部３における先端部３２に溝部３４が設けられている形態に関する。
【００６７】
図１２は、杆体１ａを示す断面図である。杆体１ａは第１の実施の形態と同様に樹脂製である。本実施の形態では、先端部３２の断面がＬ字状になっている。そのため規制部３における基部３１と先端部３２との接合部分が第１の実施の形態の場合と比較して細くなっており、後方から前方に向かって凹んだ溝部３４が基部３１と先端部３２とにより形成されている。斯かる溝部３４は、杆体１ａの長手方向である基部３１の幅方向に沿って設けられている。なお、図１２はリブ２の上方に設けられた規制部３について示しているが、リブ２１の上方に設けられた規制部３についても、同様の構造であってもよい。
【００６８】
本実施の形態によれば、基部３１と先端部３２とにより溝部３４が形成されることにより、規制部３がしなり易くなる。このため、規制部３が光学シート５の移動を規制することが容易になる。また、本実施の形態によれば、先端部３２の厚さが抑えられる。杆体１ａは樹脂製であるところ、肉厚が厚い場合に生じる反り又は歪みが軽減されて、肉厚の不均一が改善される。加えて、杆体１ａの製造時において、気泡の発生を抑えることができ、また、必要な冷却時間のばらつきが抑えられることで形状のばらつきを抑えることができる。
【００６９】
第３の実施の形態
第３の実施の形態について説明する。本実施の形態は、リブ４が爪状をなしている形態に関する。
【００７０】
図１３は、枠体１を示す部分斜視図である。図１３は、枠体１のうち、上側の一部を示したものである。従って、図１３における上方向は枠体１の外側方向に該当し、下方向は枠体１の内側方向に該当する。
【００７１】
内側部１０の前面には、内側部１０の長手方向に平行な方向を長手方向とする帯状であり、前面側に突出したリブ４が設けられている。リブ４は、基部４１及び先端部４２を備える。リブ４は、第１の実施の形態におけるリブ２と同様の位置に設けられている。リブ４は杆体１ａの長手方向に平行な方向に細長い形状をなしている。
【００７２】
また、リブ４において、内側部１０に繋がっている基部４１の先端には、枠体１の外側方向に突出した先端部４２が形成されている。先端部４２における杆体１ａの長手方向の長さは基部４１よりも短いが、基部４１より長くてもよい。基部４１及び先端部４２により、リブ４が外側に屈曲した爪状をなす。
【００７３】
内側部１０におけるリブ４の上側には、矩形孔４３が設けられている。矩形孔４３は内側部１０の長手方向に平行な方向に長い矩形状をなしており、リブ４の長さよりも長い。
【００７４】
図１４は、枠体１及び光学シート５を示す部分斜視図である。光学シート５の形状は、第１の実施の形態と同様である。光学シート５の孔５１１をリブ４の基部４１が貫通することにより光学シート５の上下方向の位置決めが行われる。また、リブ４が屈曲した爪状をなしていることにより、孔５１１の周縁に接したリブ４が光学シート５の移動を規制している。これにより、前後方向の位置決めが行われる。なお、図１３及び図１４においては、先端部４２は上側、即ち枠体１の外側方向に突出しているが、光学シート５の前後方向の移動をすることが可能であれば、枠体１の内側方向又は杆体１ａの長手方向等、他の方向に突出していてもよい。ここで、リブ４が光学シート５の移動を規制する場合は、リブ４が孔５１１の周縁を係止する場合も含む。
【００７５】
図１５は、枠体１、光学シート５及び表示部３０を示す断面図である。図１５において示されるように、表示部３０はリブ４の前方に配置される。  
【００７６】
本実施の形態に係る表示装置９０は、複数の杆体１ａ、１ｂ、１ｂ、１ｃの端部が連結されて構成されており、一の杆体１ａの前面にリブ４が設けられている枠体１と、前記リブ４が貫通している孔５１１が設けられた光学シート５とを備える表示装置９０において、前記リブ４は先端が屈曲した形状をなし、前記光学シート５の前後方向の移動を規制することを特徴とする。
【００７７】
本実施の形態によれば、前記リブ４は先端が屈曲した形状をなし、前記孔５１１の周縁に接したリブ４が前方から移動を規制していることにより、光学シート５の上下方向及び前後方向の位置決めを行うことができる。また、周縁部１１に光学シート５をの前後方向の移動を規制する構造が不要になるため、枠体１の製造を容易に行うことができる。
【００７８】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。また、各実施の形態に記載されている技術的特徴は、相互に組合せ可能であり、組み合わせることにより、新しい技術的特徴を形成することができる。
【符号の説明】
【００７９】
１  枠体
２、２１、２２  リブ
３  規制部
３１、４１  基部
３２、４２  先端部
３３、３４  溝部
４  リブ
１０  内側部
１１  周縁部
１２  凹部
１３、４３  矩形孔
１４  パネル接触部
１５  緩衝部
５  光学シート
５１、５２、５３  耳部
５１１、５２１、５３１  孔
３０  表示部
６１  フレーム
６２  導光板
６３  反射シート
６４  発光部
６５  放熱体
６６  バックライトシャーシ
８１  チューナ基板
８２  制御基板
９０  表示装置
【図１】
2015090815.tif 000003
【図２】
2015090815.tif 000004
【図３】
2015090815.tif 000005
【図４】
2015090815.tif 000006
【図５】
2015090815.tif 000007
【図６】
2015090815.tif 000008
【図７】
2015090815.tif 000009
【図８】
2015090815.tif 000010
【図９】
2015090815.tif 000011
【図１０】
2015090815.tif 000012
【図１１】
2015090815.tif 000013
【図１２】
2015090815.tif 000014
【図１３】
2015090815.tif 000015
【図１４】
2015090815.tif 000016
【図１５】
2015090815.tif 000017